(57)【要約】      （修正有）【課題】引出し本体に対する化粧板の位置調節を短時間で簡単に行える引出しを提供する。【解決手段】底板２１と、側板２２ａ，２２ｂを備えた引出し本体２０ａの前部に化粧板２４を取り付けて構成される引出し２０において、固定板２６と、調節ピン２７と、固定ねじ２８を設けて、化粧板２４を位置調節可能にした。固定板２６は、側板２２ａ，２２ｂの前部にそれぞれ設けられ、左右に長い長孔２６ａとねじ挿通孔とを備え、調節ピン２７は、軸部とカム部からなり、カム部を長孔２６ａ内に位置させて軸部が化粧板２４の裏面に回転可能に取り付けられ、調節ピン２７の回転により化粧板２４が上下移動するようにし、固定ねじ２８は、ねじ挿通孔を挿通して化粧板２４の裏面に螺合することにより化粧板２４を固定板２６に固定する。【選択図】図２
2015104473.tif 000002
【特許請求の範囲】
【請求項１】
底板と、前記底板の両側に設けられた一対の側板を備えた引出し本体の前部に化粧板を取り付けて構成される引出しであって、
前記一対の側板の前部に設けられ、左右に長い長孔と、ねじ挿通孔とが形成された化粧板固定部と、
前記化粧板の裏面に回転可能に取り付けられる軸部と、前記長孔内に配置されるカム部とからなり、前記軸部の回転により前記化粧板を前記化粧板固定部に対して上下移動させる調節ピンと、
前記ねじ挿通孔を挿通して前記化粧板の裏面に螺合することにより前記化粧板を前記化粧板固定部に固定する固定ねじと
を備えたことを特徴とする引出し。
【請求項２】
前記化粧板固定部が、前記一対の側板の前部にそれぞれ設けられた一対のもので構成され、各化粧板固定部に対応する調節ピンおよび固定ねじが備わっている請求項１に記載の引出し。
【請求項３】
前記化粧板固定部が、前記一対の側板の前端面からそれぞれ前記化粧板の裏面に沿って前記引出し本体の内部側に突出している請求項１または２に記載の引出し。
【発明の詳細な説明】
【技術分野】
【０００１】
本発明は、各種の物品を収容するキャビネット等の物品収納家具に備わった引出しに関する。
【背景技術】
【０００２】
従来から、例えばシステムキッチンには、シンクや加熱調理器等が設けられた複数のキャビネットを組み付けて構成されたものがあり、このようなキャビネットには、通常、引出しが備わっている。このような引出しの中に、底板と、底板の両側に設けられた一対の側板を備えた引出し本体の前部に化粧板を位置調節可能に取り付けて構成されたものがある（例えば、特許文献１参照）。
【０００３】
この引出しは、底板、左右の側板および背板を組み付けて上面および前面が開口した引出し箱本体（引出し本体）を構成し、この引出し箱本体における背板の対向面に、引出し前板（化粧板）をそれぞれ２個の取付具と締付具を用いて組み付けることによって構成されている。取付具は、それぞれ左右に長い取付孔が上下に２個設けられ引出し前板に固定される取付片と、丸孔からなる取付孔が上下に２個設けられ引出し箱本体の側板に固定される取付片とで構成されている。また、各側板の前端側部分には、上下方向に長い取付孔が前述した丸孔からなる取付孔と同じ間隔で上下に２個設けられている。そして、締付具は鋼板からなっており、その一方の面には、雌ねじが丸孔からなる取付孔と同じ間隔で上下に２個設けられている。
【０００４】
この引出しにおいて、引出し箱本体に引出し前板を取り付ける場合には、まず、取付具の左右に長い取付孔に取付ねじを挿通して引出し前板に螺着させることにより引出し前板に取付具を固定する。つぎに、側板の内面に取付具を当てるとともに、側板の外面に締付具を当てて、取付具の丸孔からなる取付孔と側板の取付孔に取付ねじを挿通して締付具の雌ねじに螺合させることにより、引出し箱本体に引出し前板を固定する。このようにして、引出し箱本体に引出し前板を取り付けることができ、この引出しでは、取付具に左右に長い取付孔を設けることによって、引出し前板を引出し箱本体に対して左右に位置調節可能にし、側板に上下方向に長い取付孔を設けることによって、引出し前板を引出し箱本体に対して上下に位置調節可能にしている。
【先行技術文献】
【特許文献】
【０００５】
【特許文献１】特開２００１−１０４０７５号公報
【発明の概要】
【０００６】
しかしながら、前述した従来の引出しでは、引出し箱本体に対する引出し前板の上下方向の位置を調節するときに、取付ねじを緩めると、引出し前板の調節範囲の下限まで引出し前板が落下してしまう。このため、引出し前板が落下しない程度に取付ねじを緩めた状態で、引出し前板を移動させて位置調節を行い、その後取付ねじを締める操作を行う必要があるが、この操作が面倒で調節し難いため長い時間がかかるという問題がある。すなわち、落下しない程度に固定された引出し前板を移動させるには、引出し前板が落下しない程度に固定された力以上の力が必要であるため、力加減が難しく、微調節に長い時間がかかってしまう。
【０００７】
本発明は、前述した問題に対処するためになされたもので、その目的は、引出し本体に対する化粧板の位置調節を短時間で簡単に行える引出しを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
前述した目的を達成するため、本発明に係る引出しの構成上の特徴は、底板（２１，４１）と、底板の両側に設けられた一対の側板（２２ａ，２２ｂ，３２ａ，４２ａ，４２ｂ）を備えた引出し本体（２０ａ，４０ａ，５０ａ）の前部に化粧板（２４，３４）を取り付けて構成される引出し（２０，３０）であって、一対の側板の前部に設けられ、左右に長い長孔（２６ａ，３６ａ，４６ａ）と、ねじ挿通孔（２６ｂ，４６ｂ）とが形成された化粧板固定部（２６，３６，４６，５６）と、化粧板の裏面に回転可能に取り付けられる軸部（２７ａ，３７ａ）と、長孔内に配置されるカム部（２７ｂ，３７ｂ）とからなり、カム部を長孔内に位置させて軸部が化粧板の裏面に回転可能に取り付けられ、軸部の回転により化粧板を化粧板固定部に対して上下移動させる調節ピン（２７，３７）と、ねじ挿通孔を挿通して化粧板の裏面に螺合することにより化粧板を化粧板固定部に固定する固定ねじ（２８，３８）とを備えたことにある。
【０００９】
本発明に係る引出しでは、一対の側板の前部に化粧板固定部が設けられており、この化粧板固定部には、左右に長い長孔とねじ挿通孔とが形成されている。また、化粧板の裏面には、軸部とカム部とからなる調節ピンが軸部の軸周り方向に回転可能に取り付けられており、カム部は長孔内に位置している。このため、調節ピンを回転させることにより、引出し本体に対して化粧板を上下方向に移動させることができる。この場合、化粧板の裏面に支持穴を設けて、この支持穴に調節ピンの軸部を軸周り方向に回転可能に取り付けることが好ましく、このときの調節ピンは回転方向に所定の力が加わったときに回転するようにしておくことがさらに好ましい。
【００１０】
このように構成することで、化粧板を固定している固定ねじを緩めて、化粧板が上下方向の調節範囲の下限に位置したとしても、調節ピンのカム部の周面が長孔の下方の内周面に当接するので、調節ピンを回転させるだけで、化粧板の上下方向の位置を調節することができる。ここで、カム部における調節ピンの軸部の中心軸の延長線から最も離れた部分が最も下方に位置したときに、化粧板は最上部に位置する。また、調節ピンのカム部における調節ピンの軸部の中心軸の延長線に最も近い部分が最も下方に位置したときに、化粧板は最下部に位置する。なお、長孔の長手方向の大きさは、カム部の周辺が描く軌跡よりも大きければよく、短手方向の大きさは、カムを長孔内に位置させることができる大きさであればよい。
【００１１】
さらに、化粧板を左右方向に移動させる際、化粧板は、調節ピンのカム部の周面が長孔の内周面の左右両側部分に当接する間で移動でき、カム部の周縁と調節ピンの軸部の中心軸の延長線から最も近い部分が最も左側または右側に位置したときに、化粧板は最も左側または右側に位置する。このように、長孔内で調節ピンを左右方向に移動させることにより、引出し本体に対して化粧板を左右方向に移動させることができる。このため、化粧板を調節ピンと化粧板固定部を介して側板に支持、すなわち、調節ピンのカム部の周面を長孔の下方の内周面に当接させた状態で上下方向および左右方向に位置調節することができる。
【００１２】
そして、化粧板の位置調節をしたのちに、固定ねじをねじ挿通孔に通して化粧板の裏面に螺合させることにより化粧板を化粧板固定部に固定することができる。このように、長孔に対する調節ピンのカム部の位置を調節し、固定ねじを化粧板の裏面に螺合させるだけの操作で化粧板を引出し本体の適正位置に固定することができるため、化粧板の取り付けを短時間で簡単に行える。また、この場合の固定ねじとしては、ねじが形成された軸部と頭部を備えたものを用い、頭部の大きさを、ねじ挿通孔の直径よりも大きくすることが好ましい。なお、化粧板固定部と固定ねじの頭部との間にねじ挿通孔の直径よりも大きいワッシャなどの部材を設置して固定ねじを化粧板の裏面に螺合させる場合には、固定ねじの頭部の大きさは、ねじ挿通孔の直径よりも小さくてもよい。
【００１３】
また、化粧板における固定ねじが螺合する部分が予め決まっている場合には、ねじ挿通孔の上下方向や左右方向の長さを固定ねじの胴部の直径よりも長くして、化粧板の位置調節ができるようにする。この場合、一旦、化粧板を固定部に固定したのちに、化粧板の位置を調節し直すために、固定ねじを緩めても、調節ピンによって、化粧板が落下することが防止される。さらに、化粧板固定部は、側板と一体に形成されたもので構成してもよいし、別部材で構成して側板に固定するようにしてもよい。
【００１４】
本発明に係る引出しの他の構成上の特徴は、化粧板固定部が、一対の側板の前部にそれぞれ設けられた一対のもので構成され、各化粧板固定部に対応する調節ピンおよび固定ねじが備わっていることにある。
【００１５】
本発明に係る引出しでは、一対の側板の前部にそれぞれ化粧板固定部が設けられ、化粧板の裏面には、各化粧板固定部の長孔にそれぞれ対応する調節ピンが軸部の軸周り方向に回転可能に取り付けられている。そして、化粧板の位置調節をしたのちに、固定ねじを各化粧板固定部のねじ挿通孔に通して化粧板の裏面に螺合させることにより化粧板を化粧板固定部に固定することができる。このように、一対の側板のそれぞれに化粧板の位置を調節するための機構を設けたため、化粧板の一方を調節したのちに、他方を調節できるようになり、化粧板の位置調節が容易になる。また、化粧板固定部を側板の前部にそれぞれ設ける場合でも、化粧板固定部は、側板と一体に形成してもよいし、別部材で構成して側板に固定するようにしてもよい。
【００１６】
本発明に係る引出しのさらに他の構成上の特徴は、化粧板固定部が、一対の側板の前端面からそれぞれ化粧板の裏面に沿って引出し本体の内部側に突出していることにある。
【００１７】
本発明によると、化粧板固定部が、引出しの内部に位置するため、引出しの側板の外部側には突出した部分を設ける必要がなくなる。このため、両側板を化粧板の両側縁部に沿って配置することができ、これによって引出しの容量が大きくなり収納量を増やすことができる。また、化粧板固定部の長孔とねじ挿通孔とが、引出しの内部で化粧板の裏面に対向するようになるため、調節ピンや固定ねじ等、化粧板を位置調節する際に操作する部分が引出しの内部に位置するようになる。このため、引出しが取り付けられるキャビネット等の側面を部屋を仕切る壁などに隣接させて配置した場合であっても、引出しをキャビネット等から引き出して、引出しの内部に手を入れることにより、容易に操作することができる。
【図面の簡単な説明】
【００１８】
【図１】本発明の第１実施形態に係る引出しを備えたシステムキッチンを示した斜視図である。
【図２】引出しを示した斜視図である。
【図３】引出しを示した側面図である。
【図４】引出しが取り付けられた中央側キャビネットを側方から見た状態を示した断面図である。
【図５】図４の５−５断面図である。
【図６】一方の側板に固定板を固定した状態を示した正面図である。
【図７】調節ピンを示した斜視図である。
【図８】調節ピンを示しており、（ａ）は平面図、（ｂ）は側面図である。
【図９】引出しを示した断面図である。
【図１０】図９の領域ｃを示した拡大図である。
【図１１】引出しに取り付けられた化粧板を示しており、（ａ）は化粧板を下げた状態の断面図、（ｂ）は化粧板を上げた状態の断面図である。
【図１２】図５を模式的に示した断面図である。
【図１３】図１１を模式的に示した引出しに取り付けられた化粧板を示しており、（ａ）は化粧板を下げた状態の断面図、（ｂ）は化粧板を上げた状態の断面図である。
【図１４】本発明の第２実施形態に係る引出しが備える引出し本体に固定板を取り付けた状態を示した斜視図である。
【図１５】第２実施形態の変形例に係る引出しが備える引出し本体に固定板を取り付けた状態を示した斜視図である。
【発明を実施するための形態】
【００１９】
（第１実施形態）
以下、本発明の第１実施形態に係る引出しを図面を用いて詳しく説明する。図１は、同実施形態に係る引出し２０を備えたシステムキッチン１０を示している。なお、以下の説明において、前後、左右、上下の各方向は、図１に基づいたものとし、図１の手前（正面）側を前方、奥側を後方とする。このシステムキッチン１０は、正面から見た状態で、食器洗浄乾燥機１１および引出し２０を備えた中央側キャビネット１２の右側にコンロキャビネット１３を組み付け、中央側キャビネット１２の左側にシンクキャビネット１４を組み付けて構成されている。
【００２０】
システムキッチン１０の上面部はカウンター１５で構成されており、コンロキャビネット１３の上部におけるカウンター１５の部分には、コンロ台１６が設けられ、シンクキャビネット１４の上部におけるカウンター１５の部分には、シンク１７および水栓１７ａが設けられている。また、中央側キャビネット１２には、引出し２０の他、引出し１２ａ，１２ｂも設けられている。そして、コンロキャビネット１３には引出し１３ａ，１３ｂが設けられ、シンクキャビネット１４には引き出し１４ａ，１４ｂが設けられている。
【００２１】
引出し２０は、図２および図３に示したように、引出し本体２０ａと、化粧板２４と、化粧板２４を引出し本体２０ａの前部（図２では紙面奥側が前方、図３では、紙面左側が前方）に位置調節可能に取り付ける一対の位置調節機構２５で構成されており、図４に示したように、中央側キャビネット１２内に設けられたレール１８に沿って中央側キャビネット１２の内部と外部との間でスライド移動可能になっている。このレール１８は、図５（図４の５−５断面）に破線で示した中央側キャビネット１２の側板に固定されている。なお、図３，４，９は取手を省略している。
【００２２】
引出し本体２０ａは、水平に配置された矩形の木材板からなる底板２１の上面における左右両縁部に、矩形の金属板からなる一対の側板２２ａ，２２ｂを垂直にして固定するとともに、底板２１の後端面と側板２２ａ，２２ｂの後端面に、矩形の木材板からなる背板２３を垂直にして固定することにより形成されている。この引出し本体２０ａは、上面と前面が開放された箱状に形成されており、高さよりも左右の幅が長くなっており、左右の幅よりも前後の長さが長くなっている。
【００２３】
化粧板２４は、左右の長さが背板２３よりも少し長く設定され、上下の長さが背板２３の略２倍に設定された矩形の板で構成されており、前面に模様や色彩からなる意匠が施されている。また、化粧板２４の後面の左右両側の下部側部分には、それぞれ支持穴２４ａ（図１０参照）が形成されている。そして、化粧板２４の後面における各支持穴２４ａの上下には、それぞれ支持穴２４ａとの間隔を同じにして固定用穴２４ｂが形成され、固定用穴２４ｂ内に円筒状のねじ止め部材２４ｃが固定されている。ねじ止め部材２４ｃは、樹脂で構成されており、外周面に前部よりも後部が大径になった複数の段部が形成されている。また、その側面には軸方向に離隔した切断部が形成されており、固定ねじ２８が螺入されることで、ねじ止め部材の直径が広がり、この複数の段部によって、ねじ止め部材２４ｃが固定用穴２４ｂから抜けることを防止する。
【００２４】
位置調節機構２５は、引出し本体２０ａに対して化粧板２４を位置調節可能に組み付けるもので、図５に示したように、引出し本体２０ａに化粧板２４が組み付けられたときの、化粧板２４の左右両側の下部とそれに対応する側板２２ａ，２２ｂの前端面とにかけてそれぞれ設けられている。各位置調節機構２５は、それぞれ固定板２６と、調節ピン２７と、２個の固定ねじ２８とで構成されている。各固定板２６は、それぞれ上下に延びる細長い金属板で構成されており、図６に示したように、側板２２ａ，２２ｂの前端面にねじ２５ａで固定されて、互いに対向するように内側に延びている。
【００２５】
ここで、固定板２６には、ねじ２５ａのねじ頭を固定板２６の前面から突出させないために、ねじ頭を収容する図示しない凹部を形成している。これにより固定板２６に化粧板２４を取り付けたとき、固定板２６の前面と化粧板２４の後面との間に隙間が生じることを防ぐことができる。また、底板２１の前端面は側板２２に固定された固定板２６の前端面と面一に設定されている。これにより、引出し本体２０ａに化粧板２４を取り付けたとき、底板２１の前端面と化粧板２４の後面の間に隙間が生じることを防ぐことができる。
【００２６】
さらに、固定板２６の高さは、底板２１の上面から側板２２の上面までの高さとほぼ同一高さに設定されている。これにより、引き出し２０ａを側方から見たときに、側板２２の前端面と化粧板２４の間に隙間が生じることを防ぐことができる。なお、固定板２６の高さは、底板２１の上面から側板２２の上面までの高さよりも低くてもよい。側板２２は固定板２６を介して化粧板２４に固定されるので、引出し本体の強度を保つことができる。
【００２７】
すなわち、固定板２６は、それぞれ幅方向の一方の縁部側を引出し本体２０ａの内部側に突出させて化粧板２４の後面に沿えるようになった状態で、側板２２ａ，２２ｂの前端面に固定されており、この固定板２６で本発明に係る化粧板固定部が構成される。そして、固定板２６における上下方向の中央には上下よりも左右の方が長い長円状の長孔２６ａが固定板２６を前後に貫通して形成され、長孔２６ａを挟んで上下にそれぞれねじ挿通孔２６ｂ（図１０参照）が固定板２６を前後に貫通して形成されている。
【００２８】
固定板２６ａは厚さ２ｍｍの金属板で形成している。長孔２６ａの中心部と、各ねじ挿通孔２６ｂの中心部との間隔は、化粧板２４の支持穴２４ａの中心部と、各固定用穴２４ｂの中心部の間隔と同じに設定されている。そして、長孔２６ａの左右方向の長さは、１７ｍｍに設定され、長孔２６ａの上下方向の長さは、９ｍｍに設定されている。長孔２６ａは長手方向の中心線が水平、すなわちキャビネットの垂直方向に対して直交するように形成されている。また、ねじ挿通孔２６ｂの直径は８．５ｍｍに設定されている。この２個の固定板２６は、左右対称に配置されている。
【００２９】
調節ピン２７は、図７および図８（ａ），（ｂ）に示したように、円柱形状の軸部２７ａと、軸部２７ａの端部（図７および図８（ａ），（ｂ）の状態での上端部）に形成したカム部２７ｂで構成している。本実施例のカム部２７ｂは円柱形状に形成し、その中心軸を軸部２７ａの中心軸からずらすことで、カムが形成される。軸部２７ａは、外周面に、カム部２７ｂ側から下側にいくにしたがって徐々に直径が小さくなった凸部２７ｃを複数形成することにより段状に形成されており、大径部の直径が８ｍｍで軸方向の長さが１１ｍｍに設定されている。ここで、化粧板２４に形成された支持穴２４ａは軸部２７ａの大径部の直径と同じ直径に設定されている。
【００３０】
軸部２７ａは、化粧板２４の後面に形成された支持穴２４ａに回転可能に挿入される。支持穴２４ａが軸部２７ａの大径部の直径と同じ直径なので、軸部２７ａは、凸部２７ｃによって支持穴２４ａから抜け止めされると共に、軸周り方向に回転可能かつ調節ピン２７を任意の位置で停止させることが可能になる。調節ピン２７が任意の位置で停止できるので、化粧板２４を再調節する場合、化粧板２４を現在の位置から調節できる。すなわち、化粧板を調節する時間をさらに短縮できる。カム部２７ｂは、直径が８ｍｍで厚みが４ｍｍの円板状に形成されており、その中心軸ａが、軸部２７ａの中心軸ｂから２．５ｍｍ離れた状態で軸部２７ａに形成されている。また、カム部２７ｂの上端面には工具を係合させて軸部２７ａを回転させるための十字状の溝２７ｄが形成されている。
【００３１】
このため、軸部２７ａの中心軸ｂを中心として、調節ピン２７を回転させると、カム部２７ｂにおける軸部２７ａの中心軸ｂから最も遠い部分２７ｅは、直径が１３ｍｍの円弧を描くように回転し、カム部２７ｂにおける軸部２７ａの中心軸ｂから最も近い部分２７ｆは、直径が３ｍｍの円弧を描くように回転する。また、調節ピン２７を介して化粧板２４を固定板２６に組み付けたときに、カム部２７ｂは長孔２６ａの内部に位置する。このため、カム部２７ｂの最下部が長孔２６ａの内周面下部に当接した状態で化粧板２４は、調節ピン２７を介して固定板２６に支受されるようになり、調節ピン２７が回転すると、化粧板２４は、５ｍｍの範囲で上下に移動する。また、化粧板２４は、カム部２７ｂの左右の縁部が長孔２６ａの内周面の左右の端部に当接するまでの範囲で左右に移動することができこの場合の移動範囲は、４ｍｍになる。
【００３２】
固定ねじ２８は、略円板状の頭部２８ａと、頭部２８ａの中央から延びる軸部２８ｂで構成されており、ワッシャ２８ｃを介して化粧板２４の後面に取り付けられたねじ止め部材２４ｃに螺合する。すなわち、ねじ挿通孔２６ｂの開口にワッシャ２８ｃを位置させて、固定ねじ２８の胴部２８ｂを、ワッシャ２８ｃの開口とねじ挿通孔２６ｂに通して化粧板２４の後面に取り付けられたねじ止め部材２４ｃに螺合させると、頭部２８ａはワッシャ２８ｃを介してねじ挿通孔２６ｂの周縁部に係合する。これによって、化粧板２４を固定板２６に固定できる。このねじ止め部材２４ｃおよびワッシャ２８ｃによって、固定ねじ２８が緩むことを防止できる。また、ねじ挿通孔２６ｂは、化粧板２４を上下左右に位置調節できる程度の大きさに設定されていればよい。
【００３３】
図９，１０に示すように、このように構成された引出し２０において、引出し本体２０ａに化粧板２４を組み付け、および調節する際には、図１１に示すように、固定板２６がそれぞれ固定された側板２２ａ，２２ｂの前部に化粧板２４を合わせて、化粧板２４に取り付けられた調節ピン２７のカム部２７ｂをそれぞれ対応する固定板２６の長孔２６ａ内に位置させる。つぎに、固定ねじ２８とワッシャ２８ｃを用いて、カム部２７が長孔２６ａから外れない程度に、固定ねじ２８を化粧板２４に締め付けたのちに、２個の調節ピン２７をそれぞれ回転させて引出し本体２０ａに対する化粧板２４の高さを調節する。ついで、化粧板２４を左右に移動させる、すなわち、長孔２６ａ内におけるカム部２７ｂの左右位置を変更することにより引出し本体２０ａに対する化粧板２４の左右の位置を調節する。
【００３４】
化粧板２４の位置調節が終了すると、固定ねじ２８で化粧板２４と固定板２６を固定する。これによって、化粧板２４が引出し本体２０ａの適正位置に固定された引出し２０が得られる。この場合の適正位置に固定とは、引出し２０を中央側キャビネット１２から出し入れする際に、化粧板２４が引出し１２ａ，１２ｂと接触することなくスムーズに移動できる位置に取り付けられ、隣接する引出しの化粧板との隙間が均一であることである。
【００３５】
このように、本実施形態に係る引出し２０では、側板２２ａ，２２ｂの前部にそれぞれ長孔２６ａと２個のねじ挿通孔２６ｂを備えた固定板２６が固定され、化粧板２４の後面には調節ピン２７が回転可能に取り付けられている。そして、調節ピン２７のカム部２７ｂが長孔２６ａ内に位置しているため、調節ピン２７を回転することにより、引出し本体２０ａに対して化粧板２４を上下方向に移動させることができる。この場合、図１１（ａ），（ｂ）に断面で示したように、化粧板２４の位置を変更できる。図１１（ａ）の状態では、化粧板２４は、引出し本体２０ａに対して下方に位置している。
【００３６】
また、化粧板２４の位置を上方に変更する場合には、固定ねじ２８を緩めて、２個の調節ピン２７をそれぞれ回転させて引出し本体２０ａに対する化粧板２４の高さを高くする。これによって、図１１（ｂ）に示したように、引出し本体２０ａに対する化粧板２４の高さが高くなる。また、長孔２６ａ内で調節ピン２７を左右方向に移動させることができるため、化粧板２４を左右方向に移動させることもできる。このため、化粧板２４を調節ピン２７を介して固定板２６に支持させた状態で上下方向および左右方向に位置調節することができる。
【００３７】
そして、化粧板２４の位置調節をしたのちに、固定ねじ２８を締め付けることにより化粧板２４を固定することができる。このように、本実施形態によると、長孔２６ａに対するカム部２７ｂの位置を調節し、固定ねじ２８を、ねじ止め部材２４ｃおよびワッシャ２８ｃを介して化粧板２４の裏面に螺合させて締め付けるだけの操作で化粧板２４を引出し本体２０ａの適正位置に固定することができるため、化粧板２４の取り付けを短時間で容易に行える。また、一旦、化粧板２４を固定したのちに、化粧板２４の位置を調節し直すために、固定ねじ２８を緩めても、調節ピン２７によって、化粧板２４が落下することが防止される。
【００３８】
さらに、本実施形態によると、化粧板２４の位置を調節するとともに固定するための位置調節機構２５が、引出し２０の内部に位置するため、引出し２０の側板２２ａ，２２ｂの外部側には突出した部分を設ける必要がなくなる。このため、引き出し２０が収容されるキャビネットの左右の幅に対して、側板２２ａ，２２ｂの間隔を最大限に広げて配置することができ、これによって引出し２０の収納量を増やすことができる。
【００３９】
以下、化粧板２４を上下に調節する過程を図５、図１１の模式図として示した図１２、１３で説明する。図１２は、引出し３０を後方から前方に向けて見た断面図である。また、図１３は図１２のＡ−Ａを通る断面を左から見た断面図である。なお、図１３は図１２で示す右側の調節機構を示しているが、左側の調節機構は右側と対称である。また、固定ねじ３８と固定板３６の間のワッシャは省略し、調節ピン３７のカム３７ｂは軸部３７ａの端面を覆う形状となっている。また、図１３（ａ）は化粧板３４が調節範囲の下限に位置したとき、（ｂ）は調節範囲の上限に位置したときを示している。
【００４０】
図１２、１３に示すように、固定板３６は、側板３２ａの前端面に取り付けられている。調節ピン３７は、化粧板３４の後面に形成された支持穴３４ａに軸部３７ａを挿入し取り付けられている。化粧板３４に取り付けられた調節ピン３７のカム部３７ｂは、固定板３６の長孔３６ａ内に位置している。化粧板３４は、固定板３６を介し、固定ねじ３８で固定されている。
【００４１】
化粧板３４を調節ピンで調節できる調節範囲の下限（図１３（ａ））から上限（図１３（ｂ））に調節する場合、カム部３７ｂが長孔３６ａから外れない程度に、固定ねじ３８を緩める。そして、調節ピン３７を工具等で回転させる。このとき、カム部３７ｂの周面が長孔３６ａの下方の内周面に当接しているので、カム部３７ｂが回転することで、軸部３４ｂが固定板３６に対して上方に移動する。すなわち、引出し本体に対して化粧板３４が上方に移動する。カム部３７ｂの周縁と軸部３４ｂとが最も離れたカム部３７ｂの周縁が最下部に位置したときに、調節ピンで調節できる上限となる。固定ねじ３８を固定板３６を介して、化粧板に固定することで、上下方向の位置調節が完了する。
【００４２】
（第１実施形態の変形例）
固定板２６を側板２２と一体に成形して固定部を構成してもよい。固定部２６と側板２２を一体に構成する場合、樹脂や金属で成形することができる。また、固定部の前端面は底板２１の前端面と面一になるように形成するとよい。こうすることで、化粧板２４に引き出し本体を組み付けたとき、化粧板２４と引き出し本体２０ａの間に隙間が生じない。また、固定板２６を側板２２と一体に成形したので、部品点数を減らすことができる。その他の効果は第一実施形態と同じである。
【００４３】
（第２実施形態）
図１４は、本発明の第２実施形態に係る引出しが備える引出し本体４０ａに、固定板４６を固定した状態を示している。引出し本体４０ａは、底板４１と、側板４２ａ，４２ｂと、背板４３からなっており、前述した引出し本体３０ａと同様の形状に形成されている。また、固定板４６は、背板４３と左右の長さが同じ金属板で構成されている。固定板４６の高さは、底板４１の上面から側板４２の上端面までの距離に設定されている。そして、固定板４６の中央に左右に長い長孔４６ａが形成され、長孔４６ａを挟んで左右にそれぞれねじ挿通孔４６ｂが形成されている。
【００４４】
なお、図示は省略するが、化粧板の裏面の略中央には、長孔４６ａの大きさに対応した大きさのカム部を備えた調節ピンが回転可能に取り付けられている。また、本実施形態に係る引出しには、化粧板を固定板４６に固定するための固定ねじも備わっている。なお、固定板４６は引出し４０ａの前面、すなわち、底板４１の前端面を覆うように固定してもよい。この場合、底板４１の前端面の位置は、側板４２の前端面と面一に設定される。さらに、固定板４６を側板４２に固定するねじは、第一実施形態と同じようにねじ頭が固定板４６から突出しないようにされている。
【００４５】
本実施形態に係る引出しのそれ以外の部分の構成は前述した第一実施形態と同一である。また、化粧板の位置調節は一つの位置調節機構で行われるが、その方法は前述した第１実施形態等と同じである。本実施形態によると、一つの位置調節機構を一回操作するだけで済むため、化粧板の位置調節の操作が容易になる。この実施形態のそれ以外の作用効果は、前述した第１実施形態等と同様である。
【００４６】
（第２実施形態の変形例）
図１５は、第２実施形態の変形例に係る引出しが備える引出し本体５０ａに、固定板５６を固定した状態を示している。引出し本体５０ａは、前述した引出し本体４０ａと同一の構成をしており、固定板５６は、固定板４６の上下の部分を除いて中央部分だけにした金属板で構成されている。この変形例に係る引出しのそれ以外の部分の構成は、第２実施形態に係る引出しと同一である。したがって、同一部分に同一符号を記して説明は省略する。この変形例に係る引出しによると、１個で構成された固定板５６を小型化することができる。この変形例に係る引出しのそれ以外の作用効果は、前述した第２実施形態等と同様である。なお、固定板５６を小さくしたことによって生じる化粧板と側板４２の前端面との間の隙間には、樹脂や金属などで形成した隙間を埋める部材や、隙間を隠す部材を設置するとよい。
【００４７】
本発明に係る引出しは、前述した実施形態および変形例に限定するものでなく、適宜、変更して実施することが可能である。例えば、カム部２７ｂを円柱形状、すなわち断面を円で形成したが、断面を楕円や卵型にしてもよい。また、カム部２７ｂは軸部２７ａの端部を覆ってもよい。さらに、軸部２７ａとカム部２７ｂとを別部品で構成し連結させてもよい。
【００４８】
また、実施形態１では平板の固定板であるが、Ｌ字状の固定板で側板の前部に固定してもよい。この場合、一方の平面部に長孔とねじ挿通孔を設けて化粧板固定部を形成し、他方の平面部に固定板を側板に固定するための側板固定部を形成してもよい。この場合、引出し本体の内側に化粧板固定部が対向するように設置していれば、側板固定部は、側板の内側（すなわち引出しの内部）および、側板の外側（すなわち引出しの外部）のどちらにでも固定してよい。また、化粧板固定部と側板を別部品で構成する場合には、側板を木質系材料で構成してもよい。さらに、ねじ止め部材２４ｃやワッシャ２８ｃを省略してもよい。
【００４９】
前述した実施形態では、引出し２０，３０等に、背板２３，３３が備わっているが、引出し２０，３０等は、背板２３，３３のないものであってもよい。さらに、前述した実施形態等では、引出し２０，３０等がシステムキッチン１０の中央側キャビネット１２に備わったものとしているが、本発明に係る引出しは、これに限定するものでなく、コンロキャビネット１３やシンクキャビネット１４に備わった引出し１３ａ等で構成してもよい。また、本発明に係る引出しは、食器棚の引出し等、物品を収納する種々の家具に用いることもできる。
【符号の説明】
【００５０】
２０，３０…引出し、２０ａ，４０ａ，５０ａ…引出し本体、２１，４１…底板、２２ａ，２２ｂ，３２ａ，４２ａ，４２ｂ…側板、２４，３４…化粧板、２６，３６，４６，５６…固定板、２６ａ，３６ａ，４６ａ…長孔、２６ｂ，４６ｂ…ねじ挿通孔、２７，３７…調節ピン、２７ａ，３７ａ…軸部、２７ｂ，３７ｂ…カム部、２８，３８…固定ねじ。
【図１】
2015104473.tif 000003
【図２】
2015104473.tif 000004
【図３】
2015104473.tif 000005
【図４】
2015104473.tif 000006
【図５】
2015104473.tif 000007
【図６】
2015104473.tif 000008
【図７】
2015104473.tif 000009
【図８】
2015104473.tif 000010
【図９】
2015104473.tif 000011
【図１０】
2015104473.tif 000012
【図１１】
2015104473.tif 000013
【図１２】
2015104473.tif 000014
【図１３】
2015104473.tif 000015
【図１４】
2015104473.tif 000016
【図１５】
2015104473.tif 000017